(57)【要約】【課題】  長手方向と幅方向の両方に伸縮する伸縮布で作った汗取り帯を縫着した頭部にフィットし汗取り効果の高い着用感に優れた帽子を提供する。【解決方法】  長手方向の経糸に吸水性に富みかつ速乾性の繊維糸とポリウレタン系高弾性繊維糸を、幅方向の緯糸にポリウレタン系高弾性繊維糸を用いて平織された長手と幅の二方向に伸縮し、かつ抗菌加工された汗取り帯が、野球帽、サンバイザー、登山用ハットなどのクラウン内周に縫着された帽子による。【選択図】  図１
0003128627.tif 000002
【実用新案登録請求の範囲】
【請求項１】
野球帽、サンバイザー、登山用ハットなどそのクラウンの内周に汗取り帯が縫着されてなる帽子であって、その汗取り帯が、長手方向と幅方向の両方に伸縮する伸縮布で構成されてなることを特徴とする帽子。
【請求項２】
前記伸縮布が、経糸に吸水性に富みかつ速乾性の繊維糸とポリウレタン系高弾性繊維糸を、緯糸にポリウレタン系高弾性繊維糸を用いて織成された平織布であることを特徴とする請求項１に記載の帽子。
【請求項３】
前記伸縮布の経糸に用いた吸水性に富みかつ速乾性の繊維が、抗菌加工されたものであることを特徴とする請求項２に記載の帽子。
【請求項４】
前記伸縮布が、その経糸に消臭糸を用いてなることを特徴とする請求項１〜３のいずれか１項に記載の帽子。
【請求項５】
前記伸縮布が、ジャガード織りによって文字や図形を表示してなることを特徴とする請求項１〜４のいずれか１項に記載の帽子。
【考案の詳細な説明】
【技術分野】
【０００１】
本考案は、着用感が優れた帽子に関するものであって、特に吸水性と速乾性に富み、かつ縦横に伸縮する伸縮布を汗取り帯に使用した帽子に関する。
【背景技術】
【０００２】
野球帽やサンバイザー、登山用ハットなどの帽子の内側に縫着される汗取り帯としては、木綿のバイアステープが一般的に使用されているが、バイアステープは伸縮性に乏しく、個々人の頭部にぴったり密着する帽子は少なく、またクラウンの内周に沿って縫着されたバイアステープは帽子の内周長の違いによって多少のしわが発生し、これも装着感を損ねる要因になっている。さらに速乾性にも乏しく、汗を吸着すると雑菌が繁殖して不快な臭いを発生するようにもなる。
そこで、特開平８−１００３１９号公報には、「伸縮性の小さな小可伸層と伸縮性の大きな大可伸層を有し、小可伸層を中立層として両側又は片側に大可伸層を形成したテープであり、小可伸層はタテ糸とヨコ糸が交互に規則正しく絡み合った織組織を有し、大可伸層はヨコ糸に対してタテ糸が交互の絡み合うことなく、飛び飛びに絡み合った組織としたもので、タテ糸又はヨコ糸の少なくとも一方は抗菌性と親水性があり、そして熱可塑性のある糸とする」帽子の汗取りテープの発明が開示されている。
すなわち、１本のテープの幅方向にタテ糸とヨコ糸が規則正しく絡み合って伸縮性を伴わない小可伸層と、タテ糸とヨコ糸が飛び飛びに絡み合わせて多少の伸縮性を持たせた大可伸層とを１又は複数層設けたことによってテープの幅方向への湾曲を可能にし、汗取りテープを帽子の内周に沿って縫着してもしわの発生のない肌当たりのよい、そして抗菌性と親水性を備えた糸の使用により汗臭さの残らない帽子の汗取りテープを提供している。
また、本考案者の考案に係わる登録実用新案第３０７２０３２号公報にも開示されているように、帽子本体の下縁内周面に少なくともポリウレタン系高弾性繊維糸と不定形断面の糸を撚り合わせて極微細な隙間を形成した吸水性糸とを用いて織成又は編成した広幅のテープを縫着してなり、必要により該テープ生地には純銀糸を織り込み又は編み込むことにより、頭部外周全体に対して適度な締め付け力があってフィット性が高く、汗取り効果も高くてズレにくく、ドライな着用感のある帽子の考案も提案されている。
【特許文献１】特開平８−１００３１９号公報
【特許文献２】登録実用新案第３０７２０３２号公報
【考案の開示】
【考案が解決しようとする課題】
【０００３】
上述した特開平８−１００３１９号公報に開示の汗取りテープは、テープの幅方向への湾曲を可能にしてはいるが長さ方向への伸縮は小可伸層によって制限されており、頭部を適度に締め付けることは難しく、またタテ糸とヨコ糸の絡み方が異なる小可伸層と大可伸層を幅方向に織り分けねばならず、従来のバイアステープより製造コストが嵩むおそれがある。
また、登録実用新案第３０７２０３２号公報に開示の考案では、汗取り帯の経糸には伸縮性を持たせているが緯糸には伸縮性がなく、一方向への伸びに頼っているため、頭の形状によってはせっかく幅広の汗取り帯を縫着しているにもかかわらず一部の狭い幅のみが頭部を締め付けることになり、頭部を締め付ける力を強く感じたり、汗取り効果が低下することも生じる。
また、前記汗取りテープは抗菌性、親水性を備えてはいるが、長時間の使用によって吸着された汗は、不快なアンモニア臭を発するようになり、周囲に迷惑を掛けることとなるがその除去は容易でない。
したがって、本考案では、長手方向と幅方向の両方に伸縮する伸縮布で作った汗取り帯を縫着した頭部にフィットし、汗取り効果が高く不快なアンモニア臭の発生をも抑制する着用感に優れた帽子を提供することを課題とする。
【課題を解決するための手段】
【０００４】
本発明者は上記課題を下記の手段によって解決した。
（１）野球帽、サンバイザー、登山用ハットなどそのクラウンの内周に汗取り帯が縫着されてなる帽子であって、その汗取り帯が、長手方向と幅方向の両方に伸縮する伸縮布で構成されてなることを特徴とする帽子。
（２）前記伸縮布が、経糸に吸水性に富みかつ速乾性の繊維糸とポリウレタン系高弾性繊維糸を、緯糸にポリウレタン系高弾性繊維糸を用いて織成された平織布であることを特徴とする前項（１）に記載の帽子。
（３）前記伸縮布の経糸に用いた吸水性に富みかつ速乾性の繊維が、抗菌加工されたものであることを特徴とする前項（１）又は（２）に記載の帽子。
（４）前記伸縮布が、その経糸に消臭糸を用いてなることを特徴とする前項（１）〜（３）のいずれか１項に記載の帽子。
（５）前記伸縮布が、ジャガード織りによって文字や図形を表示してなることを特徴とする前項（１）〜（４）のいずれか１項に記載の帽子。
【考案の効果】
【０００５】
本考案の帽子によって下記のような効果が発揮される。
〈１〉帽子のクラウン内周に縫着された汗取り帯が、長手方向と幅方向の両方に伸縮する伸縮布で形成されているので、汗取り帯の全面が適度な締め付け力で頭部に当接するので着用感が優れた帽子が提供される。
〈２〉前記伸縮布が、経糸に吸水性に富みかつ速乾性の繊維糸を用いているので、汗取り効果が高いことと、常にドライな肌触りが得られることとが両立し、着用感の優れた帽子が提供される。
また、伸縮布が、経糸、緯糸にポリウレタン系高弾性繊維糸を用いて平織されたものであるので、特殊な製法を必要とせず製造コストが嵩むおそれがない。
〈３〉前記伸縮性布が抗菌処理され、また消臭糸を織り込んであるので、着用後の汗による不快な臭いの発生が抑制される。
〈４〉前記伸縮布が、ジャガード織りによって文字や図形を表示できるので、帽子の製造会社のロゴやブランド名の他、例えば野球帽にあってはチーム名などを折り込んだ汗取り帯の帽子が得られる。
【考案を実施するための最良の形態】
【０００６】
本考案を実施するための形態を、実施例の図に基づいて説明する。
図１は本考案の帽子の斜視図で（ａ）は野球帽などのキャップ、（ｂ）は登山用などのハット、（ｃ）はサンバイザーであり、図２はジャガード織りで文字や図形を表示した汗取り帯の平面図である。
図において１は帽子本体、２はつば部、３は汗取り帯であり、４はジャガード織りによって汗取り帯に表示された文字、５はジャガード織りによって汗取り帯に表示された図形である。
【０００７】
本考案の帽子は、図１に示すように野球帽などのキャップや登山用のハット、サンバイザーなどの帽子本体１のクラウン内に汗取り帯３が縫着されたものであって、前記汗取り帯３が、長さ方向の経糸に吸水性に富みかつ速乾性の繊維糸と、伸縮性に富んだポリウレタン系高弾性繊維糸を、また幅方向の緯糸にも前記ポリウレタン系高弾性繊維糸を用いて平織りして形成されている。
なお、上記汗取り帯３を形成する繊維糸は、吸水性及び速乾性を有するもの及び高弾性を有するものであればよく、それぞれ繊維糸は、周知の技術で製造される市販のものを採用することもできる。
例えば、ポリウレタン高弾性繊維糸としては、オペロンテックス社製の「ライクラ」（登録商標）や、「スパンデックス」（登録商標）が挙げられる。これら、ポリウレタン高弾性繊維糸は、ゴムのように伸縮する繊維であり、ゴムより耐久性に優れ、かつ染色できる利点がある。
そのため、本考案において、汗取り帯の経糸及び緯糸にポリウレタン高弾性繊維糸を採用し、長手方向と幅方向の両方が、頭部を適度に締め付けるフィット感に優れ装着時にズレにくい帽子を形成している。
【０００８】
また前記汗取り帯３には、抗菌処理を施し、汗を吸着した際の不快な臭いの発生原因となる雑菌の繁殖を防止、又は抑制する糸を織り込み、さらに公知の消臭機能を有する消臭糸、例えばセルロース繊維にメタクリル酸をグラフト共重合させて得られる改質セルロース繊維糸や、レーヨン繊維にカルボキシル基をグラフト共重合させて得られる糸、各種繊維に銅化合物又は亜鉛化合物を含浸させた糸などを織り込み、該消臭糸が汗取り帯で発生するアンモニアを中和するようにしたので、帽子を長時間装着した場合でもアンモニアによる悪臭を抑え、常に爽快感が得られるものとなっている。
【０００９】
さらに、前記汗取り帯３は、ジャガード織りによって図２に示すように文字４や図形５を表示することもでき、製造業者のブランド名やロゴを表示して他社製品との差別化を図ったり、例えば野球チームの名称を表示した汗取り帯３を縫着した野球帽によってチームの一体化が図れるなどの効果も期待できる。
【００１０】
なお、本考案の帽子本体１やつば部２は、周知の技術で製造されるものであってよく、例えば、野球帽などのキャップやサンバイザーでは、帽子本体１が伸縮性の布地で作られ、つば部２は、ボール紙やプラスチック板などの芯材を布でくるんで上方に凸に湾曲させて形成したものや半透明のプラスチック板等で構成されたものが、また登山用のハットでは帽子本体１とつば部２とが共布で作られたものなどが一般的である。
さらに、帽子本体１やつば部２の素材や形状は、上記記載のものに限られるものではなく、例えば帽子本体１を形成する伸縮性の布地が、メッシュ状の織られたものであってもよく、また、通常の布地とメッシュ状の布地とが併用されることであってもよい。
【図面の簡単な説明】
【００１１】
【図１】本考案の帽子の斜視図
【図２】ジャガード織りで文字や図形を表示した汗取り帯の平面図
【符号の説明】
【００１２】
１：帽子本体
２：つば部
３：汗取り帯
４：ジャガード織りによって汗取り帯に表示された文字
５：ジャガード織りによって汗取り帯に表示された図形
【図１】
0003128627.tif 000003
【図２】
0003128627.tif 000004